(57)【要約】      （修正有）【課題】鼻の形状には大人や子供含め個人差があるため、個人の鼻と顔の形状に合せ密着できるマスクを安価に提供する。【解決手段】マスク上部の両端に穴をあけ、牽引紐を穴に通過させる。この牽引紐によって鼻の頂点および峯に引っ張り力を与えることでマスクを鼻の頂点に密着させることができる。また、鼻脇へのマスクの圧迫もできるため鼻脇からの外気の吸引や息の漏れが低減できるとともに、従来の製造コストと同等の製造価格で製造できる。【選択図】図２
2020128617.tif 000002
【特許請求の範囲】
【請求項１】
ガーゼマスクにおいて、マスク紐の上部の末端の支点を鼻の頂点または峯として（下部の支点はそのままとし）、上部の末端の支点部分には紐が通る穴を空け、紐を末端部通過させて鼻の頂点および峯のところに引っ張り力を与える。鼻の頂点にかかった引っ張り力でマスクを鼻の頂点に密着させ、更に鼻の脇のマスク部分の引っ張り力がなくなったことにより鼻脇へマスクを圧迫させると形態が維持され、鼻脇漏れが低減される。
【請求項２】
鼻形状に合わせた固定具入りマスクにおいて、マスク紐の上部の末端の支点を鼻の頂点又は峯として（下部の支点はそのままとし）、上部の末端の支点部分にはゴム紐が通る穴を空け、ゴム紐を末端部通過させて鼻の頂点および峯の固定具のところに引っ張り力を与える。固定具にかかった引っ張り力が鼻とマスクの密着力に変わり漏れと外気吸引の低減が長時間維持される。
【請求項３】
手術用のサージカルマスクにおいて、マスク紐の上部の末端の支点を鼻の頂点又は峯として（下部の支点はそのままとし）、上部の末端の支点部分には紐が通る穴を空け、紐を末端部通過させて鼻の頂点から峯のところに引っ張り力を与える。鼻の頂点から峯にかかった引っ張り力でマスクを鼻の頂点に密着させ、更に鼻の脇のマスク部分の引っ張り力がなくなったことにより鼻脇へマスクを圧迫させると形態が維持され、鼻脇漏れが低減される。
【発明の詳細な説明】
【技術分野】
【０００１】  本発明は、マスクの鼻脇の漏れ防止対策マスクを製造方法に関するものである。
【背景技術】
【０００２】  従来のマスクはガーゼ布や不繊布を紐やゴム紐などで顔に固定する方法で使用されている。マスク固定の為にマスクを紐で引っ張る事により固定できるが、引っ張る力で鼻の脇に空間ができて、外気の吸引や息の漏れが生じる。鼻の脇の空間防止対策として、鼻に当たる部分に形状が固定できる針金やプラスチックなどの固定具が埋め込まれており鼻脇の空間が発生しないように改善されているマスクがあるが、固定具を鼻にしっかり押さえるためには、マスクを固定する紐をしっかり引っ張る必要がある。その為、マスクを使用していると固定具が引っ張られて伸びる事により再び空間ができ漏れが生じる。この固定具の伸びを抑えるには更に強固な材料を使用すれば改善できるが、大幅なコストＵＰを生じるために販売価格が高額となり、効果を得るためには、更に強い力で顔に固定する必要が生じる。
【先行技術文献】
【０００３】
【特許文献１】特開１９９５−２７５３８４号公報
【発明の概要】
【発明が解決しようとする課題】
【０００４】  従来のマスクは、次のような欠点があった。
（イ）、ガーゼ布や不繊布を紐やゴム紐などで引張り顔に固定するために、引っ張る力で鼻脇に空間ができて外気の吸引や息の漏れが生じる。
（ロ）、鼻脇の空間を防ぐために、鼻に当たる部分に形状が固定できる針金やプラスチックなどの固定具が埋め込み鼻脇の空間を抑えるマスクがでているが、固定具を紐で引っ張り固定するために、引っ張る力で使用する時間とともに再び空間ができ外気の吸引や息の漏れが生じる。
（ハ）、弱い固定具では引張で変形して効果が低下するために、更に強固な固定具を使用するマスクもでているが、大幅なコストＵＰを生じるために販売価格が高額となり、効果を得るためには、更に強い力で顔に固定する必要が生じる。
本発明は、これらの問題を解決するために発明されたものである。
【課題を解決するための手段】
【０００５】  本発明者は、マスクの鼻脇の漏れを改善する製法を開発するために種々研究を重ねた結果。
（イ）鼻の形状が子供や大人そして個人差が非常にあり完璧なマスクをつくるには、鼻と顔の形状に合わせた形のマスクを作れば完璧なマスクが製造可能であるが、製造価格が高額となる。
（ロ）現在のマスクの鼻脇の漏れの原因を解析すると、鼻に掛る力は鼻に対してプラスであるが、鼻脇に掛る力はマイナスとなっていた。
よって鼻には密着力がかかるが鼻脇からは離れ空間が空く方向であった。
（ハ）原因はマスクを鼻の中心として左右に引っ張っているために、鼻の頂点には力がかかり、鼻脇（山の谷間）には力が及ばず逆に鼻脇（谷間）離れる力となっていた。
（ニ）対策は上部のマスク両端よりの引っ張りを、鼻の頂点に移動すれば鼻の脇に掛っていたマイナスの力がゼロとなる。
（ホ）方法は、上部のマスク両端よりの引っ張り支点を、鼻の頂点および峯に移動し今まで引っ張っていた上部支点に穴をあけて牽引紐を通過させて、牽引紐でマスク両端を圧迫する。
【発明の効果】
【０００６】  本発明により、従来のマスクの牽引力と同等もしくはそれ以下の弱い力のマスク固定で鼻脇漏れの防止効果の改善されたマスクを製造でき、更に従来の製造コストと同等の製造価格で製造が可能である。
【発明を実施するための形態】
【０００７】  本発明は、マスクの形態は従来のマスクと同等で、マスクを引っ張り固定するマスク紐の上部の牽引の支点を鼻の頂点および峯に変え、今まで引っ張っていた両端の支点にはマスク紐が通過できる穴を空け、両端の部分をマスク紐がフリーになる形態となる。
【実施例１】従来のガーゼマスク
マスクの形態はポピラーなガーゼマスクの形態で、マスク紐の上部の末端の支点を鼻の頂点として（下部の支点はそのままとし）、上部の末端の支点部分にはゴム紐が通る穴を空け、ゴム紐を末端部通過させて鼻の頂点および峯のところに引っ張り力を与える。鼻の頂点から峯にかかった引っ張り力でガーゼマスクを鼻の頂点に密着させ、更に鼻の脇のガーゼ部分の引っ張り力がなくなったことにより鼻脇へガーゼを圧迫させると形態が維持され、鼻脇漏れが低減される。
【実施例２】鼻形状に合わせた固定具入りマスク
マスクの形態は現在多く使用されている鼻の部分に形状が固定される固定具が埋め込まれているタイプのマスクで、マスク紐の上部の末端の支点を鼻の頂点および峯として（下部の支点はそのままとし）、上部の末端の支点部分にはゴム紐が通る穴を空け、ゴム紐を末端部通過させて鼻の頂点から峯の固定部のところに引っ張り力を与える。固定具にかかった引っ張り力が鼻とマスクの密着力に変わり漏れと外気吸引の低減が長時間維持される。
【実施例３】手術用マスク
マスクの形態はポピラーなサージカルマスクの形態で、マスク紐の上部の末端の支点を鼻の頂点又は峯として（下部の支点はそのままとし）、上部の末端の支点部分には紐が通る穴を空け、紐を末端部通過させて鼻の頂点又は峯のところに引っ張り力を与える。鼻の頂点から峯にかかった引っ張り力でサージカルマスクを鼻の頂点に密着させ、更に鼻の脇のマスク部分の引っ張り力がなくなったことにより鼻脇へサージカルマスクを圧迫させると形態が維持され、鼻脇漏れが低減される。
【図１】
2020128617.tif 000003
【図２】
2020128617.tif 000004
【図３】
2020128617.tif 000005
【図４】
2020128617.tif 000006
【手続補正書】
【提出日】令和1年5月7日(2019.5.7)
【手続補正１】
【補正対象書類名】明細書
【補正対象項目名】全文
【補正方法】変更
【補正の内容】
【発明の詳細な説明】
【技術分野】
【０００１】  本発明は、マスクの鼻脇の漏れ防止対策マスクを製造方法に関するものである。
【背景技術】
【０００２】  従来のマスクはガーゼ布や不繊布を紐やゴム紐などで顔に固定する方法で使用されている。マスク固定の為にマスクを紐で引っ張る事により固定できるが、引っ張る力で鼻の脇に空間ができて、外気の吸引や息の漏れが生じる。鼻の脇の空間防止対策として、鼻に当たる部分に形状が固定できる針金やプラスチックなどの固定具が埋め込まれており鼻脇の空間が発生しないように改善されているマスクがあるが、固定具を鼻にしっかり押さえるためには、マスクを固定する紐をしっかり引っ張る必要がある。その為、マスクを使用していると固定具が引っ張られて伸びる事により再び空間ができ漏れが生じる。この固定具の伸びを抑えるには更に強固な材料を使用すれば改善できるが、大幅なコストＵＰを生じるために販売価格が高額となり、効果を得るためには、更に強い力で顔に固定する必要が生じる。
【先行技術文献】
【０００３】
【特許文献１】特開１９９５−２７５３８４号広報
【発明の概要】
【発明が解決しようとする課題】
【０００４】従来のマスクは、次のような欠点があった。
（イ）、ガーゼ布や不繊布を紐やゴム紐などで引張り顔に固定するために、引っ張る力で鼻脇に空間ができて外気の吸引や息の漏れが生じる。
（ロ）、鼻脇の空間を防ぐために、鼻に当たる部分に形状が固定できる針金やプラスチックなどの固定具が埋め込み鼻脇の空間を抑えるマスクがでているが、固定具を紐で引っ張り固定するために、引っ張る力で使用する時間とともに再び空間ができ外気の吸引や息の漏れが生じる。
（ハ）、弱い固定具では引張で変形して効果が低下するために、更に強固な固定具を使用するマスクもでているが、大幅なコストＵＰを生じるために販売価格が高額となり、効果を得るためには、更に強い力で顔に固定する必要が生じる。
本発明は、これらの問題を解決するために発明されたものである。
【課題を解決するための手段】
【０００５】本発明者は、マスクの鼻脇の漏れを改善する製法を開発するために種々研究を重ねた結果。
（イ）鼻の形状が子供や大人そして個人差が非常にあり完璧なマスクをつくるには、鼻と顔の形状に合わせた形のマスクを作れば完璧なマスクが製造可能であるが、製造価格が高額となる。
（ロ）現在のマスクの鼻脇の漏れの原因を解析すると、鼻に掛る力は鼻に対してプラスであるが、鼻脇に掛る力はマイナスとなっていた。
よって鼻には密着力がかかるが鼻脇からは離れ空間が空く方向であった。
（ハ）原因はマスクを鼻の中心として左右に引っ張っているために、鼻の頂点には力がかかり、鼻脇（山の谷間）には力が及ばず逆に鼻脇（谷間）離れる力となっていた。
（ニ）対策は上部のマスク両端よりの引っ張りを、鼻の頂点に移動すれば鼻の脇に掛っていたマイナスの力がゼロとなる。
（ホ）方法は、上部のマスク両端よりの引っ張り支点を、鼻の頂点および峯に移動し今まで引っ張っていた上部支点に穴をあけて牽引紐を通過させて、牽引紐でマスク両端を圧迫する。
【発明の効果】
【０００６】本発明により、従来のマスクの牽引力と同等もしくはそれ以下の弱い力のマスク固定で鼻脇漏れの防止効果の改善されたマスクを製造でき、更に従来の製造コストと同等の製造価格で製造が可能である。
【図面の簡単な説明】
【０００７】
【図１】従来のマスクの両端よりの引っ張りを示す平面図
【図２】発明のマスクの鼻先よりの引っ張りを示す平面図
【図３】従来マスクの両端よりの引っ張り解析を示す断面図
【図４】発明マスクの鼻先よりの引っ張り改善を示す断面図、
【発明を実施するための形態】
【０００８】本発明は、マスクの形態は従来のマスクと同等で、マスクを引っ張り固定するマスク紐の上部の牽引の支点を鼻の頂点および峯に変え、今まで引っ張っていた両端の支点にはマスク紐が通過できる穴を空け、両端の部分をマスク紐がフリーになる形態となる。
【実施例１】従来のガーゼマスク
マスクの形態はポピラーなガーゼマスクの形態で、マスク紐の上部の末端の支点を鼻の頂点として（下部の支点はそのままとし）、上部の末端の支点部分にはマスク紐が通る穴を空け、マスク紐を末端部通過させて鼻の頂点および峯のところに引っ張り力を与える。鼻の頂点から峯にかかった引っ張り力でガーゼマスクを鼻の頂点に密着させ、更に鼻の脇のガーゼ部分の引っ張り力がなくなったことにより鼻脇へガーゼを圧迫させると形態が維持され、鼻脇漏れが低減される。
【実施例２】鼻形状に合わせた固定具入りマスク
マスクの形態は現在多く使用されている鼻の部分に形状が固定される固定具が埋め込まれているタイプのマスクで、マスク紐の上部の末端の支点を鼻の頂点および峯として（下部の支点はそのままとし）、上部の末端の支点部分にはマスク紐が通る穴を空け、マスク紐を末端部通過させて鼻の頂点から峯の固定部のところに引っ張り力を与える。固定具にかかった引っ張り力が鼻とマスクの密着力に変わり漏れと外気吸引の低減が長時間維持される。
【実施例３】手術用マスク
マスクの形態はポピラーなサージカルマスクの形態で、マスク紐の上部の末端の支点を鼻の頂点又は峯として（下部の支点はそのままとし）、上部の末端の支点部分には紐が通る穴を空け、紐を末端部通過させて鼻の頂点又は峯のところに引っ張り力を与える。鼻の頂点から峯にかかった引っ張り力でサージカルマスクを鼻の頂点に密着させ、更に鼻の脇のマスク部分の引っ張り力がなくなったことにより鼻脇へサージカルマスクを圧迫させると形態が維持され、鼻脇漏れが低減される。
【手続補正２】
【補正対象書類名】図面
【補正対象項目名】全図
【補正方法】変更
【補正の内容】
【図１】
2020128617.tif 000007
【図２】
2020128617.tif 000008
【図３】
2020128617.tif 000009
【図４】
2020128617.tif 000010